(57)【要約】【課題】損壊又は汚損したブラシの交換、異なる形態のブラシへの変更可能なヘアブラシを提供する。【解決手段】本体１０、複数のブラシ２０及びグリップ３０から構成される。本体１０内部には、グリップ収容空間１１を有し、本体１０外周側面の両縁には、互いに対向するスライド溝１２を有する。ブラシ２０は、基板２１上面にブラシ毛２２が装着され、基板２１の両側縁に凸リブ２３を設けて該凸リブ２３により、基板２１を本体１０のスライド溝１２内にスライドして装着する。グリップ３０は、本体１０の収容空間１１内部にスライドして収納され、外部に引き出して装着される。上記ブラシは、本体からスライドして着脱できるため、必要に応じて交換可能である。【選択図】図１
0003183579.tif 000002
【実用新案登録請求の範囲】
【請求項１】
本体、少なくとも１つ以上のブラシ、及びグリップを備えるヘアブラシであって、
前記本体の内部には、グリップの収容空間を有し、前記本体の外周の少なくとも一方の側面の両縁には、互いに対向するそれぞれスライド溝を有し、
前記ブラシは、基板を有し、前記基板の上面には、若干のブラシ毛が装着され、前記基板の前記本体のスライド溝に相対向する両側縁には、凸リブをそれぞれ有して、該基板は、該２つの凸リブにより、前記本体のスライド溝内にスライドして着脱可能に装着され、
前記グリップは、前記本体の収容空間内部にスライドして収納及び装着されることを特徴とするヘアブラシ。
【請求項２】
前記ブラシのブラシ毛の上端は、マッサージ球をそれぞれ有することを特徴とする請求項１に記載のヘアブラシ。
【請求項３】
前記本体の断面は、多辺形であることを特徴とする請求項１に記載のヘアブラシ。
【請求項４】
若干の櫛歯を有するつまみ片をさらに備え、前記グリップの前記本体と反対側の端部は、位置決め孔を有し、前記位置決め孔に該つまみ片が装着されて位置決めされることを特徴とする請求項１に記載のヘアブラシ。
【考案の詳細な説明】
【技術分野】
【０００１】
本考案は、ヘアブラシに関し、特に、損壊又は汚損したブラシの交換に便利な上、様々な形態のブラシに簡単に変更することができるヘアブラシに関する。
【背景技術】
【０００２】
現在、市場におけるヘアブラシは、多種多様である。最も頻繁に使用されるヘアブラシは、ヘッド部を有し、ヘッド部の一方の端部にグリップを有する。また、ヘッド部の一方の側面には、若干のブラシ毛を有する板体が装着される。ヘアブラシは、髪を梳かすために使用される。
【０００３】
上述の従来のヘアブラシは、体積が大きい上、寸法が長いため、極めて多くの空間を占有してしまい、携帯に不便である。このため、携帯に便利なように、折り畳み可能なグリップを有するヘアブラシが多く存在する。これにより、携帯に不便であるという問題を解決することができる。しかし、従来のヘアブラシは、損壊又は汚損した場合、廃棄される。これは、資源の浪費であり、経済的な実用性が極めて低い。従って、従来のヘアブラシは、上述の欠点の改良が求められていた。
【０００４】
本考案の考案者は、ヘアブラシの生産販売に長年従事しており、従来のヘアブラシの構造に改善が求められていることに鑑み、従来のヘアブラシに存在する問題に対する改善方法を模索し、幾度にわたる改良及びテストを経て、ついに本考案のヘアブラシを案出した。
【先行技術文献】
【特許文献】
【０００５】
【特許文献１】特開２００７−３３０６７１号公報
【考案の概要】
【考案が解決しようとする課題】
【０００６】
本考案の主な目的は、空間を占有しないため、携帯に便利であるヘアブラシを提供することにある。
本考案のもう１つの目的は、損壊又は汚損したブラシの交換に便利な上、様々な形態のブラシに簡単に変更することができるヘアブラシを提供することにある。
【課題を解決するための手段】
【０００７】
上述の課題を解決するために、請求項１の考案は、本体、少なくとも１つ以上のブラシ及びグリップを備えるヘアブラシであって、本体の内部は、該グリップの収容空間を有し、本体の外周の少なくとも一つの側面の両縁には、互いに対向する２つのスライド溝を有し、ブラシは、基板を有し、基板の上面には、若干のブラシ毛が装着され、基板の本体のスライド溝に対向する両側縁は、凸リブをそれぞれ有し、基板は、２つの凸リブにより、本体のスライド溝内にスライドして着脱可能に装着され、グリップは、本体の収容空間内部にスライドして収納可能に装着されることを特徴とするヘアブラシである。
【０００８】
請求項２の考案は、ブラシのブラシ毛の上端は、マッサージ球をそれぞれ有することを特徴とする請求項１に記載のヘアブラシである。
【０００９】
請求項３の考案は、本体の断面は、多辺形であることを特徴とする請求項１に記載のヘアブラシである。
【００１０】
請求項４の考案は、若干の櫛歯を有するつまみ片をさらに備え、グリップの本体と反対側の端部は、位置決め孔を有し、位置決め孔には、つまみ片が装着されて位置決めされることを特徴とする請求項１に記載のヘアブラシである。
【考案の効果】
【００１１】
本考案のヘアブラシは、損壊又は汚損したブラシを交換したり、他の形態のブラシに交換したりしたい場合、本体のスライド溝からブラシを押し出し、新しいブラシを装着すればよい。即ち、ブラシの交換を簡単に行うことができるため、実用性が高い。
【図面の簡単な説明】
【００１２】
【図１】本考案の一実施形態によるヘアブラシを示す分解斜視図である。
【図２】本考案の一実施形態によるヘアブラシを示す斜視図である。
【図３】本考案の一実施形態によるヘアブラシのグリップを引き出した状態を示す斜視図である。
【図４】本考案の一実施形態によるヘアブラシのグリップ上に櫛歯を装着した状態を示す斜視図である。
【図５】本考案の一実施形態によるヘアブラシの櫛歯をグリップ上に装着し、グリップを収容空間内に収容した状態を示す斜視図である。
【図６】本考案の第１実施形態によるヘアブラシを示す断面図である。
【図７】本考案の第２実施形態によるヘアブラシを示す断面図である。
【図８】本考案の第３実施形態によるヘアブラシを示す断面図である。
【考案を実施するための形態】
【００１３】
本考案の目的、特徴および効果を示す実施形態を図面に沿って詳細に説明する。
【００１４】
図１〜図８に示すように、本考案は、ヘアブラシを提供するものである。本考案のヘアブラシは、本体１０、少なくとも１つ以上のブラシ２０及びグリップ３０から構成する。
【００１５】
本体１０の断面は、多辺形である。本実施形態では本体１０の断面は、方形である。本体１０の内部には、収容空間１１を有する。本体１０の外周の少なくとも１つの側面の両縁には、互いに対向する２つのスライド溝１２を有する。
【００１６】
ブラシ２０は、基板２１を有する。基板２１の上面には、若干のブラシ毛２２が装着される。基板２１の本体１０のスライド溝１２に相対する両側縁には、凸リブ２３をそれぞれ有する。２つの凸リブ２３により、基板２１は、本体１０のスライド溝１２内にスライドして装着することができる。
【００１７】
グリップ３０は、本体１０の収容空間１１内部に装着される。これにより、グリップ３０を本体１０内部に位置決めすることができる。また、グリップ３０は、本体１０外部に所定の長さ引き出した後、位置決めすることにより、グリップとして使用することができる。
【００１８】
ブラシ２０のブラシ毛２２の上端は、マッサージ球２２１をそれぞれ有する。
【００１９】
本考案のヘアブラシは、若干の櫛歯４１を設けたつまみ片４０をさらに有する。また、グリップ３０の本体１０と反対側の端部は、位置決め孔３１を有する。位置決め孔３１には、つまみ片４０が装着されて位置決めされる。
【００２０】
本考案のヘアブラシは、以上の構造によって構成される。ヘアブラシを使用しない場合、グリップ３０を本体１０の収容空間１１内に収容することができる（図２参照）ため、携帯に便利である。また、全体が小型で軽量であるため、空間を占有しない。即ち、本考案のヘアブラシは、衣類のポケット又はバッグ内部に収容するのに便利であるため、携帯に便利であり、実用性が高い。
【００２１】
本考案のヘアブラシを使用する際は、本体１０内からグリップ３０を引き出せばよい（図２参照）ため、操作が簡単であり、便利に使用することができる。
【００２２】
ここで、本考案の本体１０の断面は、方形であり、本体１０の外周の４つの側面は、互いに対向する２つのスライド溝１２をそれぞれ有する。また、各スライド溝１２内には、若干のブラシ毛２２を有するブラシ２０がスライドして装着される。また、各ブラシ２０は、使用効果の異なる様々な形態のブラシ毛２２を採用することができる（図６〜図８参照）。また、各ブラシ２０を色の異なるブラシ２０に交換し、美観性を高めることができるため、実用性が高い。
【００２３】
本考案のヘアブラシは、損壊又は汚損したブラシ２０を交換したり、他の形態のブラシ２０に交換したりしたい場合、本体１０のスライド溝１２からブラシ２０を押し出し、新しいブラシ２０を直接装着すればよい。即ち、ブラシ２０の交換を簡単に行うことができるため、実用性が高い。
【００２４】
また、グリップ３０の本体１０と反対側の端部は、位置決め孔３１を有する。位置決め孔３１は、若干の櫛歯４１を有するつまみ片４０が装着されて位置決めされる（図４及び図５参照）。つまみ片４０の櫛歯４１は、長髪を梳かすのに便利であるため、利便性及び実用性をさらに高めることができる。
【００２５】
上述したことから分かるように、本考案のヘアブラシにより、従来のヘアブラシに存在する種々の欠点を改善することができる。また、本考案の主要な構成は、当該分野の刊行物においても未だ発表されておらず、新規性、進歩性を有する。
【符号の説明】
【００２６】
１０  本体
１１  収容空間
１２  スライド溝
２０  ブラシ
２１  基板
２２  ブラシ毛
２２１  マッサージ球
２３  凸リブ
３０  グリップ
３１  位置決め孔
４０  つまみ片
４１  櫛歯
【図１】
0003183579.tif 000003
【図２】
0003183579.tif 000004
【図３】
0003183579.tif 000005
【図４】
0003183579.tif 000006
【図５】
0003183579.tif 000007
【図６】
0003183579.tif 000008
【図７】
0003183579.tif 000009
【図８】
0003183579.tif 000010